(57)【要約】【課題】  太陽電池の発電量が少ない天候が続いた場合でも、太陽電池の故障をできるだけ適切に検出することができる太陽電池の監視装置、および太陽電池の監視システムを提供する。【解決手段】  監視制御部１３は、天候情報に基づいて診断時間帯における太陽電池９の故障診断の可否を判断する。監視制御部１３は、故障診断が可能であると判断した場合、発電データに基づいて太陽電池９の故障を検出する故障診断を実行し、故障診断が不可能であると判断した場合、故障診断を実行しない。そして、監視制御部１３は、故障診断を実行しない日が上限日数を上回って継続した場合、診断時間帯を変更する。【選択図】図１
2015231280.tif 000002
【特許請求の範囲】
【請求項１】
太陽電池の発電量に関する発電データを取得する第１の取得部と、
天候に関する天候情報を取得する第２の取得部と、
前記太陽電池の故障診断を行う診断時間帯に第１の診断時間帯を設定して、前記天候情報に基づいて前記第１の診断時間帯における前記太陽電池の故障診断の可否を判断し、前記故障診断が可能であると判断した場合、前記第１の診断時間帯において前記第１の取得部が取得した前記発電データに基づいて前記太陽電池の故障を検出する故障診断を実行し、前記故障診断が不可能であると判断した場合、前記第１の診断時間帯における前記故障診断を実行しない監視制御部とを備え、
前記監視制御部は、前記故障診断を実行しない日が上限日数を上回って継続した場合、前記診断時間帯を前記第１の診断時間帯とは異なる第２の診断時間帯に変更する
ことを特徴とする太陽電池の監視装置。
【請求項２】
前記監視制御部は、前記第２の診断時間帯における前記太陽電池の故障診断の可否を前記天候情報に基づいて判断し、前記故障診断が可能であると判断した場合、前記第２の診断時間帯において前記故障診断を実行し、前記故障診断が不可能であると判断した場合、前記第２の診断時間帯をさらに別の時間帯に変更することを特徴とする請求項１記載の太陽電池の監視装置。
【請求項３】
前記太陽電池の設置場所における影の発生状況の時間推移を示す影データを格納した影データ記憶部を備え、
前記監視制御部は、前記太陽電池の設置場所において影が発生しない時間帯を前記第２の診断時間帯とする
ことを特徴とする請求項１または２記載の太陽電池の監視装置。
【請求項４】
前記天候情報は、前記太陽電池に照射される日射量の情報を含み、前記監視制御部は、少なくとも前記日射量に基づいて前記故障診断の可否を判断することを特徴とする請求項１乃至３いずれか記載の太陽電池の監視装置。
【請求項５】
外部との間で通信を行う通知部を備え、
前記監視制御部は、前記故障診断を実行しない日が前記上限日数を上回って継続した場合、前記天候情報に基づいて前記故障診断が可能である日を予測し、前記通知部は、この予測した日に関する情報を前記外部へ送信する
ことを特徴とする請求項１乃至４いずれか記載の太陽電池の監視装置。
【請求項６】
請求項１乃至５いずれか記載の監視装置と、前記第１の取得部が取得する前記発電データを生成する計測器とを備えることを特徴とする太陽電池の監視システム。
【請求項７】
前記計測器は、複数の前記太陽電池のそれぞれの前記発電データを生成し、前記監視装置の前記監視制御部は、複数の前記太陽電池のそれぞれの故障の有無を判定することを特徴とする請求項６記載の太陽電池の監視システム。
【発明の詳細な説明】
【技術分野】
【０００１】
本発明は、一般に太陽電池の監視装置、および太陽電池の監視システム、より詳細には故障診断を行う太陽電池の監視装置、および太陽電池の監視システムに関する。
【背景技術】
【０００２】
近年、太陽光発電装置は、自然エネルギーの活用という観点で脚光を浴びており、省エネルギー、蓄エネルギーに対する意識の高まりにより、様々な場所に設置されるようになってきた。
【０００３】
このような太陽光発電装置に対して、監視装置は、太陽電池（太陽電池モジュール）の発電量を計測し、この発電量に基づいて太陽電池の故障を検出する故障診断を行う（例えば、特許文献１，２参照）。この従来の監視装置は、日射量が十分である場合に太陽電池の故障診断を実行し、曇天等によって日射量が不十分である場合には太陽電池の故障診断を中止している。
【先行技術文献】
【特許文献】
【０００４】
【特許文献１】特開２０１２−５４４０１号公報
【特許文献２】特開２０１２−５５０９０号公報
【発明の概要】
【発明が解決しようとする課題】
【０００５】
従来の監視装置は、毎日の診断時間帯を予め決めており、この診断時間帯に太陽電池の発電量を計測し、この発電電力に基づいて太陽電池の故障を検出する故障診断を行う。そして、雨天時、曇天時には太陽電池の発電量が少なく、太陽電池の故障診断の精度が低くなるため、監視装置は故障診断を中止する。
【０００６】
しかしながら、太陽電池の発電量が少ない雨天、曇天の天候が何日も連続した場合、監視装置による故障診断が何日も行われない状態となる。すなわち、太陽電池の発電量が少ない天候が何日も連続した場合、太陽電池の故障を検出することができず、太陽電池の故障が適切に検出されなくなる。
【０００７】
本発明は、上記事由に鑑みてなされたものであり、その目的は、太陽電池の発電量が少ない天候が続いた場合でも、太陽電池の故障をできるだけ適切に検出することができる太陽電池の監視装置、および太陽電池の監視システムを提供することにある。
【課題を解決するための手段】
【０００８】
本発明の太陽電池の監視装置は、太陽電池の発電量に関する発電データを取得する第１の取得部と、天候に関する天候情報を取得する第２の取得部と、前記太陽電池の故障診断を行う診断時間帯に第１の診断時間帯を設定して、前記天候情報に基づいて前記第１の診断時間帯における前記太陽電池の故障診断の可否を判断し、前記故障診断が可能であると判断した場合、前記第１の診断時間帯において前記第１の取得部が取得した前記発電データに基づいて前記太陽電池の故障を検出する故障診断を実行し、前記故障診断が不可能であると判断した場合、前記第１の診断時間帯における前記故障診断を実行しない監視制御部とを備え、前記監視制御部は、前記故障診断を実行しない日が上限日数を上回って継続した場合、前記診断時間帯を前記第１の診断時間帯とは異なる第２の診断時間帯に変更することを特徴とする。
【０００９】
本発明の太陽電池の監視システムは、本発明の監視装置と、前記第１の取得部が取得する前記発電データを生成する計測器とを備えることを特徴とする。
【発明の効果】
【００１０】
以上説明したように、本発明では、太陽電池の発電量が少ない天候が続いた場合でも、太陽電池の故障をできるだけ適切に検出することができるという効果がある。
【図面の簡単な説明】
【００１１】
【図１】実施形態のシステム構成を示すブロック図である。
【図２】実施形態の故障診断処理を示すフローチャートである。
【図３】実施形態の故障診断処理を示すフローチャートである。
【図４】実施形態の診断時間帯を示す説明図である。
【発明を実施するための形態】
【００１２】
以下、本発明の実施の形態を図面に基づいて説明する。
【００１３】
（実施形態）
図１は、太陽電池の監視装置１（以降、監視装置１と称す）を用いた太陽電池の監視システム（以降、監視システムと称す）の構成を示すブロック図である。
【００１４】
監視システムは、監視装置１と、計測器２とを主構成として備えており、監視装置１は、太陽電池９の故障を検出する故障診断を行う。さらに、監視システムは、気象サーバ３、報知端末４を備えることが好ましい。
【００１５】
太陽電池９は、戸建住宅、集合住宅、ビル等の屋上、庭等に設置されており、複数の太陽電池モジュールで構成される。太陽電池９は、太陽光がパネルに照射されることによって直流電力を発電し、発電した直流電力をパワーコンディショナ８へ出力する。パワーコンディショナ８は、太陽電池９が出力する直流電力を交流電力に変換し、この交流電力を電力系統７へ供給する。電力系統７は、電気機器（図示なし）へ電力を供給する電力経路であり、例えば商用電力系統で構成される。
【００１６】
図１において、監視システムは、パワーコンディショナ８と太陽電池９との組を複数備えており、監視装置１は、複数の太陽電池９のそれぞれを故障診断の対象とする。
【００１７】
監視装置１は、第１の取得部１１と、第２の取得部１２と、監視制御部１３と、通知部１４とを備える。監視装置１は、影データ記憶部１５をさらに備えることが好ましい。
【００１８】
計測器２は、計測部２１と、電流検出器２２とを備える。電流検出器２２は、複数の太陽電池９のそれぞれに対応して設けられており、太陽電池９のそれぞれの出力電流を計測する。計測部２１は、電流検出器２２の測定値に基づいて太陽電池９のそれぞれの発電電力を計測し、この計測結果に基づく発電データを生成して第１の取得部１１へ出力する。なお、計測部２１は、監視装置１に収納されているが、監視装置１の外部に設けられてもよい。また、計測器２は、複数のパワーコンディショナ８のそれぞれの出力電力を計測する構成でもよい。
【００１９】
第１の取得部１１は、計測器２が生成した発電データを取得（受信）する。
【００２０】
第２の取得部１２は、図示しないルータ等を介してインターネット等の広域ネットワーク１００に接続している。そして、広域ネットワーク１００には、気象サーバ３が接続しており、この気象サーバ３は、天候に関する天候情報を格納して、広域ネットワーク１００を介して天候情報を配信できる。第２の取得部１２は、気象サーバ３にアクセスして、気象サーバ３から天候情報を取得（受信）できる。
【００２１】
なお、天候情報は、地域毎（例えば、市町村毎）の天候に関する情報である。そして、気象サーバ３は、アクセスを許可している監視装置１の設置場所に関する情報（住所、地域等）を監視装置１の識別情報（ＩＰアドレス等）に対応付けて予め保持している。したがって、気象サーバ３は、アクセス元の監視装置１の設置場所（住所、地域等）に対応する天候情報を監視装置１へ配信できる。
【００２２】
さらに、天候情報は、現在の天候に関する情報、将来の天候に関する予報情報を含む。現在の天候に関する情報とは、現在の日射量、気温等の情報である。将来の天候に関する予報情報とは、現在から将来の任意の時点までの日射量、気温等の予報情報であり、予報期間は監視装置１からの指示に応じて設定される。また、日射量および気温の情報は、晴天、曇天、雨天等の天気の情報で代用することができる。
【００２３】
監視制御部１３は、第１の取得部１１が取得した発電データ、および第２の取得部１２が取得した天候情報に基づいて、太陽電池９の故障を検出する故障診断を行う。
【００２４】
そして、太陽電池９のエンドユーザ、管理者、管理会社等の監視者が操作可能な報知端末４も広域ネットワーク１００に接続しており、監視装置１は、報知端末４との間で通信が可能になる。この報知端末４には、パーソナルコンピュータ、専用端末が用いられる構成や、携帯電話、スマートフォン、タブレット等の携行可能な情報端末が用いられる構成があり、いずれの構成であってもよい。
【００２５】
そして、通知部１４は、図示しないルータ等を介してインターネット等の広域ネットワーク１００に接続しており、監視制御部１３による太陽電池９の故障診断の結果を報知端末４へ送信することができる。報知端末４は、監視装置１から受信した故障診断の結果を画面に表示し、必要であれば音声報知も行う。
【００２６】
以下、監視装置１による、太陽電池９の故障診断について、図２、図３のフローチャートを用いて説明する。なお、太陽電池９の故障には、太陽電池９の劣化、太陽電池９のパネル面に異物が存在する状態等も含む。
【００２７】
まず、監視制御部１３は、基本的に太陽電池９の故障診断処理を毎日行う。そして、監視制御部１３は、太陽電池９の故障診断を行う時間帯である診断時間帯が決められており、デフォルトで設定されている診断時間帯を診断時間帯Ｔ１（第１の診断時間帯）とする。この診断時間帯Ｔ１は、例えば南天時刻を含む時間帯、または昼の１１時３０分〜１２時３０分に設定されており（図４参照）、第２の取得部１２は、この診断時間帯Ｔ１の情報を、監視制御部１３が備える図示しないメモリ等から読み込む（Ｓ１）。そして、第２の取得部１２は、現在時刻が診断時間帯Ｔ１の開始時刻になると（Ｓ２）、診断時間帯Ｔ１の天候情報を取得する（Ｓ３）。なお、診断時間帯Ｔ１においては、太陽電池９のパネル面に影が発生していないことが好ましい。
【００２８】
監視制御部１３は、診断時間帯Ｔ１の天候情報に基づいて、診断時間帯Ｔ１における太陽電池９の故障診断の可否を判断する（Ｓ４）。監視制御部１３は、少なくとも日射量の情報に基づいて、診断時間帯Ｔ１における太陽電池９の故障診断の可否を判断することが好ましい。
【００２９】
具体的に、監視制御部１３は、日射量、気温の各情報に基づいて、診断時間帯Ｔ１における太陽電池９の発電量（推定発電量）を推定し、診断時間帯Ｔ１における推定発電量をＰａ（Ｔ１）とする。ここで太陽電池９の発電量は、太陽電池９が発電する電力量とする。一般に、太陽電池９の発電量は日射量、気温に依存しており、発電量は、日射量が多いほど、気温が低いほど増大する。そして、監視制御部１３は、推定発電量Ｐａ（Ｔ１）が閾値Ｋ１以上であるか否かを判断する。閾値Ｋ１は、太陽電池９が安定して発電できる最低発電量に設定され、太陽電池９の定格出力、種類等に応じて設定される。そして、監視制御部１３は、推定発電量Ｐａ（Ｔ１）が閾値Ｋ１以上であれば故障診断が可能であると判断する。なお、監視制御部１３は、太陽電池９の設置方向、設置角度の各条件、および後述の影情報も考慮して、太陽電池９の発電量を推定することが好ましい。
【００３０】
監視制御部１３は、診断時間帯Ｔ１における故障診断が可能であると判断した場合、第１の取得部１１が取得した発電データに基づいて、診断時間帯Ｔ１における発電量（実測発電量）を計測し（Ｓ５）、この実測発電量をＰｂ（Ｔ１）とする。
【００３１】
そして、監視制御部１３は、実測発電量Ｐｂ（Ｔ１）に基づいて故障診断を実行する（Ｓ６）。具体的に、監視制御部１３は、実測発電量Ｐｂ（Ｔ１）を閾値Ｋ２と比較する。監視制御部１３は、実測発電量Ｐｂ（Ｔ１）が閾値Ｋ２以上であれば、太陽電池９は正常であると判定し、実測発電量Ｐｂ（Ｔ１）が閾値Ｋ２未満であれば、太陽電池９は故障していると判定する。閾値Ｋ２は、例えば、推定発電量Ｐａ（Ｔ１）、または推定発電量Ｐａ（Ｔ１）に１未満の定数を乗じた値に設定される。
【００３２】
通知部１４は、監視制御部１３による故障診断の結果を報知端末４へ送信する通知処理を行う（Ｓ７）。報知端末４は、受信した故障診断の結果を画面に表示し、必要であれば音声報知も行う。
【００３３】
また、監視制御部１３は、ステップＳ４において推定発電量Ｐａ（Ｔ１）が閾値Ｋ１未満であり、診断時間帯Ｔ１における故障診断が不可能であると判断した場合、診断時間帯Ｔ１における故障診断を実行しない。しかしながら、雨天、曇天の天候が連続し、診断時間帯Ｔ１における故障診断が不可能である日が何日も連続した場合、監視制御部１３による故障診断が何日も行われない状態となる。
【００３４】
そこで、監視制御部１３は、診断時間帯Ｔ１における故障診断が不可能であると判断した日（診断中止日）が上限日数を上回って継続したか否かを判定する（Ｓ８）。そして、監視制御部１３は、診断中止日の継続日数が上限日数以下である場合、当日の故障診断処理を終了して、翌日に故障診断処理を再度開始する。上限日数は任意に決定され、その具体的な日数は限定されない。また、診断対象の太陽電池９毎に上限日数を個別に設定してもよい。
【００３５】
一方、監視制御部１３は、診断中止日の継続日数が上限日数を上回った場合、故障診断を当日中に再試行するために、当日中に新たな診断時間帯を設定する再設定処理を行う（Ｓ９）。
【００３６】
図３に再設定処理のフローチャートを示す。
【００３７】
再設定処理において、監視制御部１３は、影データ記憶部１５から影データを読み込むことが好ましい（Ｓ１１）。影データとは、太陽電池９の設置場所における影の発生状況の時間推移を示すデータであり、日の出時刻、日没時刻、太陽高度、周囲の建物および構造物の配置等を考慮して、太陽電池９のパネル面を覆う影の時間変化を示す。影の発生状況は、季節によっても変わるため、影データは、１年間に亘る影の発生状況の時間推移を示している。監視制御部１３は、カレンダー機能を備えており、当日の月日に対応する影データを影データ記憶部１５から読み込む。また、周囲の建物、構造物の状況が変化することがあるので、外部からの書き込み等によって影データを定期的に更新することが好ましい。
【００３８】
そして、監視制御部１３は、影データに基づいて、当日の診断時間帯Ｔ１以降で、診断時間帯Ｔ１と同じ時間長さに亘って太陽電池９のパネル面が影で覆われない時間帯（候補時間帯）を抽出する（Ｓ１２）。なお、太陽電池９のパネル面が影で覆われない時間帯とは、太陽電池９のパネル面の所定割合以上が影で覆われない時間帯のことである。そして、監視制御部１３は、候補時間帯の有無を判定する（Ｓ１３）。監視制御部１３は、候補時間帯がなければ、当日の故障診断処理を終了して、翌日に故障診断処理を再度開始する。
【００３９】
監視制御部１３は、候補時間帯があれば、現在時刻に最も近い候補時間帯を新たな診断時間帯Ｔ２（第２の診断時間帯）に設定する（Ｓ１４）（図４のＴ２１参照）。そして、第２の取得部１２は、現在時刻が診断時間帯Ｔ２になると（Ｓ１５）、診断時間帯Ｔ２の天候情報を取得する（Ｓ１６）。
【００４０】
監視制御部１３は、診断時間帯Ｔ２の天候情報に基づいて、診断時間帯Ｔ２における太陽電池９の故障診断の可否を判断する（Ｓ１７）。具体的に、監視制御部１３は、日射量、気温の各情報に基づいて、診断時間帯Ｔ２における太陽電池９の発電量（推定発電量）を推定し、診断時間帯Ｔ２における推定発電量をＰａ（Ｔ２）とする。そして、監視制御部１３は、推定発電量Ｐａ（Ｔ２）が閾値Ｋ１以上であるか否かを判断する。そして、監視制御部１３は、推定発電量Ｐａ（Ｔ２）が閾値Ｋ１以上であれば故障診断が可能であると判断する。
【００４１】
監視制御部１３は、診断時間帯Ｔ２における故障診断が可能であると判断した場合、第１の取得部１１が取得した発電データに基づいて、診断時間帯Ｔ２における発電量（実測発電量）を計測し（Ｓ１８）、この実測発電量をＰｂ（Ｔ２）とする。
【００４２】
そして、監視制御部１３は、実測発電量Ｐｂ（Ｔ２）に基づいて故障診断を実行する（Ｓ１９）。具体的に、監視制御部１３は、実測発電量Ｐｂ（Ｔ２）を閾値Ｋ３と比較する。監視制御部１３は、実測発電量Ｐｂ（Ｔ２）が閾値Ｋ３以上であれば、太陽電池９は正常であると判定し、実測発電量Ｐｂ（Ｔ２）が閾値Ｋ３未満であれば、太陽電池９は故障していると判定する。閾値Ｋ３は、例えば、推定発電量Ｐａ（Ｔ２）、または推定発電量Ｐａ（Ｔ２）に１未満の定数を乗じた値に設定される。
【００４３】
通知部１４は、監視制御部１３による故障診断の結果を報知端末４へ送信する通知処理を行う（Ｓ２０）。報知端末４は、受信した故障診断の結果を画面に表示し、必要であれば音声報知も行う。
【００４４】
また、監視制御部１３は、ステップＳ１７において、診断時間帯Ｔ２における故障診断が不可能であると判断した場合、診断時間帯Ｔ２における故障診断を実行せず、ステップＳ１１に戻って再設定処理を再度開始する。そして、監視制御部１３は、候補時間帯があれば、現在時刻に最も近い候補時間帯を新たな診断時間帯Ｔ２（図４のＴ２２参照）に設定し、上記同様の処理を行う。
【００４５】
すなわち、上述の監視装置１は、第１の取得部１１と、第２の取得部１２と、監視制御部１３とを備える。第１の取得部１１は、太陽電池９の発電量に関する発電データを取得する。第２の取得部１２は、天候に関する天候情報を取得する。監視制御部１３は、太陽電池９の故障診断を行う診断時間帯に診断時間帯Ｔ１（第１の診断時間帯）を設定して、天候情報に基づいて診断時間帯Ｔ１における太陽電池９の故障診断の可否を判断する。そして、監視制御部１３は、故障診断が可能であると判断した場合、診断時間帯Ｔ１において第１の取得部１１が取得した発電データに基づいて太陽電池９の故障を検出する故障診断を実行する。また、監視制御部１３は、故障診断が不可能であると判断した場合、診断時間帯Ｔ１における故障診断を実行しない。そして、監視制御部１３は、故障診断を実行しない日が上限日数を上回って継続した場合、診断時間帯を診断時間帯Ｔ１とは異なる診断時間帯Ｔ２（第２の診断時間帯）に変更する。
【００４６】
したがって、監視装置１は、太陽電池９の発電量が少ない天候（雨天、曇天等）が続いた場合に、診断時間帯を診断時間帯Ｔ１から診断時間帯Ｔ２に変更するので、故障診断を実行する機会を増やすことができる。すなわち、監視装置１は、太陽電池９の発電量が少ない天候が続いた場合でも、太陽電池９の故障をできるだけ適切に検出することができる。さらに、監視装置１は、精度の低い故障診断の結果を報知端末４へ送信しないので、通信トラフィックを抑制することができる。
【００４７】
また、監視制御部１３は、診断時間帯Ｔ２（第２の診断時間帯）における太陽電池９の故障診断の可否を天候情報に基づいて判断することが好ましい。そして、監視制御部１３は、故障診断が可能であると判断した場合、診断時間帯Ｔ２において故障診断を実行し、故障診断が不可能であると判断した場合、診断時間帯Ｔ２をさらに別の時間帯に変更する。
【００４８】
したがって、監視装置１は、故障診断に適する診断時間帯Ｔ２を設定することができる。
【００４９】
また、監視装置１は、太陽電池９の設置場所における影の発生状況の時間推移を示す影データを格納した影データ記憶部１５を備えることが好ましい。この場合、監視制御部１３は、太陽電池９の設置場所において影が発生しない時間帯を診断時間帯Ｔ２（第２の診断時間帯）とする。
【００５０】
太陽電池９は、パネル面に発生する影の割合が増えると発電量が減少する。したがって、太陽電池９のパネル面に発生する影の割合が大きいと、日射量および気温の各条件が好条件である場合でも、太陽電池９の発電量が抑えられるので、監視装置１は、精度のよい故障診断が困難となる。そこで、監視装置１は、診断時間帯Ｔ２として、太陽電池９のパネル面に発生する影の割合が小さい時間帯を設定することによって、精度のよい故障診断を行うことができる。
【００５１】
また、天候情報は、太陽電池９に照射される日射量の情報を含むことが好ましい。この場合、監視制御部１３は、少なくとも日射量に基づいて故障診断の可否を判断する。
【００５２】
太陽電池９は、照射される日射量が多いほど発電量が増えるので、日射量が多いほど精度のよい故障診断が可能となる。そこで、監視装置１は、少なくとも日射量に基づいて故障診断の可否を判断することによって、故障診断の可否を的確に判断することができる。
【００５３】
また、監視制御部１３は、故障診断を実行しない日が上限日数を上回って継続した場合、天候情報に基づいて故障診断が可能である日を予測し、通知部１４は、この予測した日に関する情報を外部へ送信することが好ましい。
【００５４】
具体的に、故障診断を実行しない日が上限日数を上回って継続した場合、第２の取得部１２は、気象サーバ３にアクセスして、気象サーバ３から長期の天候情報（例えば、１週間〜３週間後までの長期予報情報）を取得する。そして、監視制御部１３は、日射量、気温の各長期予報情報に基づいて、太陽電池９の発電量が閾値Ｋ１以上となる日（診断可能日）の発生状況を予測する。そして、通知部１４は、監視制御部１３による診断可能日の予測結果を報知端末４へ送信する。報知端末４は、受信した診断可能日の予測結果を画面に表示し、必要であれば音声報知も行う。
【００５５】
したがって、太陽電池９のエンドユーザ、管理者、管理会社等の監視者は、故障診断を実行できる確率が高い日を事前に把握することができる。すなわち、監視装置１は、故障診断を行うことができない日が続いた場合でも、監視者に安心感を与えることができる。
【００５６】
また、上述の監視システムは、監視装置１と、第１の取得部１１が取得する発電データを生成する計測器２とを備えることを特徴とする。
【００５７】
したがって、監視システムは、太陽電池９の発電量が少ない天候が続いた場合でも、太陽電池９の故障をできるだけ適切に検出することができる。
【００５８】
また、上述の監視システムにおいて、計測器２は、複数の太陽電池９のそれぞれの発電データを生成し、監視装置１の監視制御部１３は、複数の太陽電池９のそれぞれの故障の有無を判定することが好ましい。この場合、監視システムは、複数の太陽電池９のそれぞれの故障をできるだけ適切に検出することができる。
【００５９】
また、監視制御部１３は、天候情報に基づいて、太陽電池９のパネル面に照射される日射量の情報を取得し、太陽電池９のパネル面に照射される日射量を閾値と比較することによって太陽電池９の故障診断の可否を判断してもよい。この場合、監視制御部１３は、日射量が閾値以上であれば故障診断が可能であると判断する。さらに、監視制御部１３は、日射量を気温で補正し（例えば、気温に比例した係数を日射量に乗じる）、この補正後の日射量を閾値と比較してもよい。
【００６０】
また、監視制御部１３は、太陽電池９の故障診断処理に用いる発電量（推定発電量および実測発電量）として、診断時間帯における発電電力量、診断時間帯における発電電力の平均値、診断時間帯における発電電力のピーク値のいずれを用いてもよい。すなわち、発電量は、太陽電池９の発電電力の時間積分値、平均値、ピーク値のいずれの形態でもよく、発電量と比較される閾値は、発電量の形態に応じて設定される。
【００６１】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００６２】
１  監視装置
１１  第１の取得部
１２  第２の取得部
１３  監視制御部
１４  通知部
１５  影データ記憶部
２  計測器
３  気象サーバ
４  報知端末
７  電力系統
８  パワーコンディショナ
９  太陽電池
【図１】
2015231280.tif 000003
【図２】
2015231280.tif 000004
【図３】
2015231280.tif 000005
【図４】
2015231280.tif 000006